(57)【特許請求の範囲】
【請求項１】
ＴＶ信号が受信可能なＴＶ用伝送端子と、計算機ネットワーク接続用の双方向伝送端子の少なくとも２つの伝送端子を壁面に配設可能とする、伝送端子の壁内収納ユニットであって、
前記ＴＶ用伝送端子を保持するＴＶ端子台と、前記双方向伝送端子を備えた計算機接続ユニットと、前記ＴＶ用伝送端子からと前記双方向伝送端子からの上り信号を選択する通信形態切換装置及び終端装置を有する計算機信号・ＴＶ信号分離装置とを有し、
前記計算機接続ユニットは、前記通信形態切換装置の操作スイッチを有し、
前記計算機信号・ＴＶ信号分離装置は、
高群側と低群側とに分波する第１分波器と、
第１分波器の高群側に接続された分岐器と、
前記分岐器の２つの出力に高群側がそれぞれ接続され、前記ＴＶ用伝送端子と前記双方向伝送端子にそれぞれ接続される２つの第２分波器とを有し、
前記通信形態切換装置は、前記２つの第２分波器の低群側に対して、前記第１分波器の低群側と前記終端装置の一方を切り替えて接続するものであり、
前記壁面上に、又は、前記壁面近傍に前記壁面に略平行に、回動軸を持つ回動体と、前記回動体を回動可能に支持する支持部材とを有し、
前記計算機接続ユニットは、前記回動体の少なくとも一部分を構成し、
前記回動体は、前記双方向伝送端子の非接続時には、前記回動により壁内に略全体が収納可能であり、
前記双方向伝送端子の接続時に、前記計算機接続ユニットの一部分を斜めに前記壁面より突出させることにより、前記双方向伝送端子を計算機に接続可能にする
ことを特徴とする伝送端子の壁内収納ユニット。
【請求項２】
前記計算機信号・ＴＶ信号分離装置は増幅器を備え、
前記計算機接続ユニットは、前記増幅器の電源入力用コネクタを有することを特徴とする請求項１に記載の伝送端子の壁内収納ユニット。
【請求項３】
前記計算機接続ユニットは、前記ネットワークのベースバンド信号と、所定のブロードバンドの通信形式の信号とを相互に変換又は変復調するケーブルモデム又はハブを有することを特徴とする請求項１又は請求項２に記載の伝送端子の壁内収納ユニット。
【請求項４】
前記計算機接続ユニットは、その表面に設けられた凸部又は凹部により、一時的に固定されることを特徴とする請求項１乃至請求項３の何れか１項に記載の伝送端子の壁内収納ユニット。
【請求項５】
前記計算機信号・ＴＶ信号分離装置と前記計算機接続ユニットとは、別体で、かつ、それらが、少なくとも計算機信号が双方向伝送可能な挿入着脱式の接続インターフェイスにより接続されることを特徴とする請求項１乃至請求項４の何れか１項に記載の伝送端子の壁内収納ユニット。
【発明の詳細な説明】
【０００１】
【発明の属する技術分野】
本発明は、ＴＶ信号が受信可能なＴＶ用伝送端子と、計算機ネットワーク接続用の双方向伝送端子の少なくとも２つの伝送端子を壁面に配設可能とする、伝送端子の壁内収納ユニットに関する。
この様な壁内収納ユニットは、インターネットを利用可能としたケーブルテレビの受信者や、或いは、集合住宅におけるＬＡＮ（例：イーサネット等）利用者等に有用である。
【０００２】
【従来の技術】
図１６、図１７はそれぞれ、従来の伝送端子の壁面配設ユニット（アウトレット）の利用状態を例示する斜視図である。これらの図では、壁面１のアウトレットに配設されたＴＶ端子２に、ＴＶ信号受信用の同軸ケーブル３が接続されている。また、更に、パソコン通信等で変換アダプター５を利用する場合には、図１６に例示する様にＤＡＴＡ端子４に変換アダプター５を接続する。
【０００３】
【発明が解決しようとする課題】
この時、変換アダプター５は、フラッシプレート６より大幅に突出しているため、歩行等の障害になることがある。また、不注意により変換アダプター５に物を衝突させた場合等には、変換アダプター５や、或いはＤＡＴＡ端子４等が破損することがある。
【０００４】
また、ＤＡＴＡ端子４を使用しない場合には、図１７に例示する様にＢＮＣ端子７が露出した状態となるため、上記の様な問題は発生しないものの、ＢＮＣ端子７に異物が挿入される等の「いたずら」が行われる可能性が残る。
【０００５】
本発明は、上記の課題を解決するために成されたものであり、その目的は、壁面からの突出幅が小さく、「いたずら」され難い伝送端子の壁面配設ユニット（アウトレット）を実現することである。
また、本発明の更なる目的は、伝送端子の壁面配設ユニットの構造を改善することにより、ＴＶ共聴システムが構築された住居、ビル、施設、集合住宅等におけるＬＡＮの構築を容易、或いは安価にすることである。
【０００６】
また、本発明の更なる目的は、伝送端子の壁面配設ユニットの物理的或いは論理的な構造を改善することにより、ＣＡＴＶ共聴システムが構築された住居、ビル、施設、集合住宅等におけるＬＡＮ（イーサネット等）やＷＡＮ（ＣＡＴＶインターネット接続サービス等）の提供を容易、安価、確実、或いは、高品質にすることである。
【０００７】
【課題を解決するための手段、並びに、作用及び発明の効果】
上記の課題を解決するためには、以下の手段が有効である。
即ち、第１の手段は、ＴＶ信号が受信可能なＴＶ用伝送端子と計算機ネットワーク接続用の双方向伝送端子の少なくとも２つの伝送端子を壁面に配設可能とする伝送端子の壁内収納ユニットにおいて、ＴＶ用伝送端子を保持するＴＶ端子台と、双方向伝送端子を有する計算機接続ユニットとを備え、双方向伝送端子の接続時に、計算機接続ユニットの一部分を斜めに壁面より突出させることにより、双方向伝送端子を計算機に接続可能にする。
【０００８】
ただし、上記の計算機接続ユニットの一部分の壁面からの突出は、双方向伝送端子の接続操作を行う時のみの突出であっても良く、また、双方向伝送端子を利用する期間中継続される連続的または断続的な突出であっても良い。或いは、上記の伝送端子の壁面配設ユニットの取り付け工事の際に固定される恒久的な突出であっても良い。即ち、上記の計算機接続ユニットの一部分は、少なくとも双方向伝送端子の接続操作時に、壁面より傾斜して突出するものである。
【０００９】
また、上記のＴＶ信号が受信可能なＴＶ用伝送端子は、片方向伝送端子であっても、双方向伝送端子であっても良い。例えば、ＣＡＴＶ契約世帯等では、ＴＶ受信機にセットトップボックス等を設置して、双方向利用することがある。例えばこの様なケースでは、下り伝送路は例えば「ＴＶ信号等の配信や、契約世帯へのインターネット等のデータ伝送」等に利用され、また、上り伝送路は例えば「セットトップボックスのステイタス情報伝送や、インターネット等のデータ伝送」等に利用されることがある。
【００１０】
この様な第１の手段の構成によれば、計算機接続ユニットの他の一部分は、常に壁内に配置されたままとなるため、壁面からの突出量の少ない伝送端子の壁内収納ユニットを構成することができる。従って、従来よりも人や物と衝突し難い壁内収納ユニットを構成することが可能となる。
【００１１】
また、計算機接続ユニットの一部分を壁面より傾斜して突出させる際、壁内収納ユニットの正面に常に露出される計算機接続ユニットの表側（正面）を上記の傾斜の傾斜面とし、計算機接続ユニットのこの傾斜面以外の部分に双方向伝送端子を設けることにより、双方向伝送端子を比較的見え難い位置に配置することができる。これにより、「いたずら」され難い壁内収納ユニットを構成することが可能となる。
【００１２】
また、この様な壁内収納ユニットを用いれば、ＴＶ（テレビ）或いはＣＡＴＶ（ケーブルテレビ）の共聴システムが既存の集合住宅等では、既存のＴＶ端子用のアウトレットを利用して、簡単な施設工事によって、安価で短時間にＬＡＮを構築できる。
【００１３】
更に、ＴＶ用伝送端子からと双方向伝送端子からの上り信号を選択する通信形態切換装置及び終端装置を有する計算機信号・ＴＶ信号分離装置を有する。当該計算機信号・ＴＶ信号分離装置は、高群側と低群側とに分波する第１分波器と、第１分波器の高群側に接続された分岐器と、分岐器の２つの出力に高群側がそれぞれ接続され、ＴＶ用伝送端子と双方向伝送端子にそれぞれ接続される２つの第２分波器とを有する。また、通信形態切換装置は、２つの第２分波器の低群側に対して、第１分波器の低群側と前記終端装置の一方を切り替えて接続するものである。この構成と切り替え装置により、双方向伝送が可能な端子をＴＶ用伝送端子と双方向伝送端子とで切り替えることができる。
【００１４】
更に、壁面上に又は壁面近傍に壁面に略平行に回動軸を持つ回動体と、この回動体を回動可能に支持する支持部材とを設け、計算機接続ユニットでこの回動体の少なくとも一部分を構成し、双方向伝送端子の非接続時には、この回動体の略全体を回動により壁内に収納する。
【００１５】
ただし、双方向伝送端子の接続操作完了後に、この回動体の略全体をこの回動によって壁内に収納する様にしても良い。例えば、計算機接続ユニットの上記の傾斜面（表側）に計算機接続用のケーブルを通す穴や隙間を設ける等すれば、この様な構成も実施可能である。
【００１６】
これらの構成によれば、少なくとも計算機（双方向伝送端子）を利用しない時には、計算機接続ユニットが壁面から殆ど突出しない様にすることができるため、計算機接続ユニットが人や物に衝突する可能性を十分に低減できる。
【００１７】
また、上記の様なケーブルを通す穴や隙間を計算機接続ユニットの上記の傾斜面に設ければ、回動体の略全体を回動によって壁内に収納できるので、計算機（双方向伝送端子）の使用中に計算機接続ユニットの突出を無くすことも可能となる。
【００１８】
また、壁内収納ユニットに通信形態切換装置を設ければ、どの伝送端子にどの様な情報機器を接続するか否かの設定（通信形態）を切り換えることが可能となる。
したがって、これらの手段により、伝送端子の壁内収納ユニットや家庭内ネットワークの多機能化が可能又は容易となる。
【００１９】
また、伝送端子の壁内収納ユニットに保安器の機能を追加したり、或いは、計算機ネットワーク上の雑音を低減したりすることができる。
【００２０】
分岐器又は分配器を設ければ、特に集合住宅やビル等で、伝送端子の壁内収納ユニットを直列、或いは、並列に配置（配線）することが容易になる。
【００２１】
また、第２の手段は、増幅器と電源入力用コネクタを備える。
電源入力用コネクタを備えれば、伝送端子の壁内収納ユニットに例えばブースター等の電力を消費する装置を内蔵することができる様になる。
【００２２】
また、第３の手段は、上記の第１の手段において、上記の計算機接続ユニットに、ネットワークのベースバンド信号と所定のブロードバンドの通信形式の信号とを相互に変換又は変復調するケーブルモデム又はハブを備えることである。即ち、上記の計算機接続ユニットには、双方向伝送端子のみでなく、これらの装置を備えても良い。
【００２３】
これらの装置は、上記の壁内収納ユニットに具備されていれば十分であり、必ずしも上記の計算機接続ユニットの内部に搭載される必要はないが、この第３の手段によれば、例えば図１６に例示する様な、壁面に後付けで設置される機器が無くなる。
【００２４】
また、周波数変換器は、「広帯域周波数変換」されて各世帯に配信された有線放送信号等の信号を、再度復調して専用チューナ（例：有線放送チューナ等）に入力する際等に有用となる。
【００２５】
即ち、この様な手段によれば、装置の多機能化やモジュール化を比較的容易に実施できる。
【００２６】
また、第４の手段は、上記の各手段において、計算機接続ユニットを、その表面に設けられた凸部又は凹部により、一時的に固定することである。
【００２７】
これにより、計算機接続ユニットを上記の壁内収納ユニットに組み付ける際に、工具が必要なくなる。したがって、計算機接続ユニットを壁内収納ユニットに簡単に組み付けたり、一時的又は恒久的に固定したりすることが可能となる。
【００２８】
また、上記の各手段において、上記の回動により回動体の略全体が壁内に収納された際に、この回動体で双方向伝送端子を壁内に略完全に隠蔽すると良い。
【００２９】
これにより、双方向伝送端子が殆ど見えなくなるか、全く見えなくなるので、双方向伝送端子に異物を挿入する等の「いたずら」を大幅に発生し難くすることができる。
【００３０】
また、上記の各手段において、伝送端子の壁内収納ユニットを所定の規格寸法のスイッチボックス又はコンセントボックスに収納すると良い。
【００３１】
これにより、市販のスイッチボックスやコンセントボックスや取付枠等を部品として利用できる様になるだけでなく、アウトレットが既に設置されている場合等には、壁面に空ける穴の大きさを変更する必要も無くなる等の、従来の工業規格に関する一通りのメリットを享受することが可能となる。
【００３２】
また、第５の手段は、上記の各手段において、計算機信号・ＴＶ信号分離装置と計算機接続ユニットとを別体とし、これらの間に少なくとも計算機信号が双方向伝送可能な挿入着脱式の接続インターフェイスを設けることである。
【００３３】
これにより、計算機信号・ＴＶ信号分離装置と計算機接続ユニットとの電気的な接続や取り外しが極めて容易となり、組付け作業時等の作業効率が大幅に向上する。
また、借家等では、計算機を使用するか否か等の利用形態がユーザによりしばしば変更されることがある。しかしながら、上記の手段によれば、このような場合にも計算機接続ユニットの取り付けや取り外しが容易となる。
【００３４】
また、双方向伝送端子の恒久的非接続時に双方向伝送端子を備えた計算機接続ユニットの代りにブランクパネル又はブランクケースが装着可能なダミー装着インターフェイスを設けると良い。
【００３５】
これにより、計算機（双方向伝送端子）を恒久的に使用しない場合には、計算機接続ユニットの代りにブランクパネル等を取り付けて、壁内収納ユニットの壁面側にはＴＶ端子のみを残しておく様にできる。即ち、ＴＶ端子以外の部分は略平面にしておくことができるので、「いたずら」や衝突が生じる恐れが無くなる。
【００３６】
また、上記の各手段と組み合わせることにより、より優れた相乗効果を奏する。即ち、双方向伝送端子を備えた計算機接続ユニットの代りにブランクパネルが装着された上記の壁内収納ユニット付近において、改めて計算機（双方向伝送端子）の利用を開始する場合には、ブランクパネルを取り外し、上記の挿入着脱式の接続インターフェイスを用いて計算機接続ユニットを上記の計算機信号・ＴＶ信号分離装置に電気的に接続し、更に、この計算機接続ユニットをその壁内収納ユニットに機械的に組み付けるだけで、計算機を接続可能なアウトレット（壁内収納ユニット）を簡単に完成させることができる。
即ち、この様な手段によれば、特段の電気工事も必要なくなるため、ＬＡＮ構築またはＬＡＮ接続が短時間に実施でき、特段の施工費用も必要なくなる。
【００３７】
また、ＴＶ用伝送端子を、ケーブルテレビのテレビ局をヘッドエンド等に有するブロードバンド伝送システムの配信網に接続すると良い。
【００３８】
このような構成によれば、ケーブルテレビのテレビ局をインターネット網と接続することにより、ケーブルテレビの加入者にインターネットサービスを提供することが容易となる。
【００３９】
また、ケーブルテレビの配信網の規模や形態によっては、雑音が流合し易い場合が有るが、本手段を前記の計算機ネットワーク上の雑音を低減する手段と併用すれば、品質の良い（信頼性の高い）通信によって、ケーブルテレビの加入者に確実にインターネットサービスを提供することができる。
以上の手段により、前記の課題を効果的に解決することができる。
【００４０】
【発明の実施の形態】
以下、本発明を具体的な実施例に基づいて説明する。ただし、本発明は以下に示す実施例に限定されるものではない。
（第１実施例）
図１は、本第１実施例におけるＴＶ共聴システムの接続形態を例示する模式的な配線図である。集合住宅上の構内ネットワーク５０には、地上波デジタル放送アンテナ９２と衛星放送アンテナ９３が付設されており、これらによって、地上波デジタル放送信号と衛星放送信号が加入者装置（５１〜５５）により受信される。
【００４１】
構内ネットワーク５０は、分配増幅器５１と、これにより増幅された信号を分岐する分岐・分波装置５５と、この分岐・分波装置５５に接続されたパソコン（ＰＣ）等のデータ端末装置５２と、映像受信機であるＴＶ装置５３と、ケーブルモデム５４等から構成されている。ケーブルモデム５４は、高群下り信号をイーサネットベースバンド信号に、或いは、イーサネットベースバンド信号を低群上り信号に変復調する。ＴＶ装置５３は、地上波デジタル放送と衛星放送を弁別して復調する復調器を内蔵しており、分岐・分波装置５５に同軸ケーブルで直接接続されている。
構内ネットワーク５０内では、複数のデータ端末装置５２及びＴＶ装置５３が接続されている。
【００４２】
図２は、上記の分岐・分波装置５５の模式的な回路図である。本装置５５は主に、専用直列ユニット８と計算機接続ユニット１５等から構成されている。この両ユニット８，１５は、それぞれ本装置５５内に配設された内部コネクタ（１４，２０）を有し、この接続インターフェイス部（１４，２０）は、計算機信号が双方向伝送可能なユニット間接続ケーブル２２で接続されている。
専用直列ユニット８の片方向伝送端子である端子ＴＶには、ＴＶ装置５３（図１）が接続され、計算機接続ユニット１５の双方向伝送端子である端子ＰＣには、データ端末装置５２（図１）が接続される。
【００４３】
専用直列ユニット８は、端子１２から入力され端子１３から出力される幹線信号を途中で分岐する幹線信号分岐器１８０と、第１分波器１００と、第１・第２分波器間を接続して映像信号を伝送する高群下り線路１１５と、データ信号（計算機信号）を高群へ伝送する低群上り線路１１６と、高群下り線路１１５に直列に挿入された分岐器１１０と、分岐器１１０の主出力である映像信号をＴＶ装置５３に出力する端子ＴＶ等から構成される。
【００４４】
一方、計算機接続ユニット１５は、第２分波器１２０と、端子ＰＣと、内部コネクタ２０等から構成される。端子ＰＣは、第２分波器１２０からの高群下り信号をデータ端末装置５２に出力し、低群上りデータ信号（計算機信号）を第２分波器１２０に供給する。
【００４５】
図３は、上記の回路（分岐・分波装置５５）を内蔵する本実施例の「伝送端子の壁内収納ユニットＡ」の斜視図である。専用直列ユニット８の一部を構成するＴＶ端子台９の中央には、ＴＶ信号用Ｆ形端子１１（端子ＴＶ）が配置され、壁面１に配置されたフラッシプレート６の中央には窓枠が設けられており、この窓枠にはＴＶ端子台９と計算機接続ユニット１５が配置されている。計算機接続ユニット１５は、壁面１と平行で壁面１から僅かに隆起した所に位置するフラッシプレート６の平頂面６ａに対して斜めに突出している。符号２５は、スイッチボックスを示している。
【００４６】
図４は、上記の壁内収納ユニットＡの正面図（ａ）、側面図（ｂ）、及び、底面図（ｃ）である。計算機接続ユニット１５は、電源入力用コネクタ１８と、前記の端子ＰＣ（図２）に相当する計算機接続コネクタ１９を備えている。
【００４７】
図５は、壁内収納ユニットＡの計算機接続ユニット１５の斜視図（ａ）、及び、底面図（ｂ）である。符号１５ａは、常時露出される本計算機接続ユニット１５の正面（表側）を示している。１組の同心円の一部を成す円弧形状部を有する回動スライダ１６は、計２箇所に設けられており、自ら回動体を構成する計算機接続ユニット１５は、この２箇所の同心円の中心点を結んだ中心軸付近に回動軸を持つ。ただし、回動スライダ１６の上記の円弧形状部は、必ずしも厳密な円弧形状である必要はない。
【００４８】
計算機接続ユニット１５の表面には、凸部２４ａ，２４ｂ，２４ｃが設けられており、これらにより、計算機接続ユニット１５の回動範囲を制限することができる。図６は、壁内収納ユニットＡの計算機接続ユニット１５の側面図である。計算機接続ユニット１５が壁内収納ユニットＡに組付けられた際に、凸部２４ａはフラッシプレート６の上記の窓枠周辺の裏面６ｂに当接する様に、また、凸部２４ｂはフラッシプレート６の窓枠周辺の上記の平頂面６ａに当接する様に形成されている。また、凸部２４ｃ（図５）についても、凸部２４ｂと同様に配置・形成されている。
【００４９】
また、凸部２４ｂ，２４ｃは、図６に例示される様に計算機接続ユニット１５からの突出量が比較的小さく形成されている。これは、計算機接続ユニット１５を壁面１の上方（回動軸が有る方）に若干ずらして持ち上げた際に、凸部２４ｂ，２４ｃがフラッシプレート６の窓枠を通過できる様にするための配慮（設定）である。
【００５０】
この設定により、電源入力用コネクタ１８や、前記の端子ＰＣ（図２）に相当する計算機接続コネクタ１９を使用しない場合には、図７（ｂ）の断面図に例示する様に、計算機接続ユニット１５は略全体が壁内に収納できる。
尚、本体ネジ１７の位置等を設計変更することにより、上記の凸部２４ａの代わりに本体ネジ１７を利用する構成としても良い。
【００５１】
図８は、上記の壁内収納ユニットＡの専用直列ユニット８の斜視図（ａ）、側面図（ｂ）、及び、底面図（ｃ）である。ＴＶ端子台９の中央には、ＴＶ信号用Ｆ形端子１１が配設されており、また、ＴＶ端子台９の側壁下方には、案内溝１０（回動支持部材）が形成されている。即ち、この案内溝１０は、前記の回動スライダ１６を案内するためのものであり、計算機接続ユニット１５を回動可能に支持する。
また、専用直列ユニット８の底面には、前記の幹線信号入力用Ｆ形端子１２、幹線信号出力用Ｆ形端子１３、及び内部コネクタ１４が設けられている。
【００５２】
図９は、壁内収納ユニットＡの計算機接続ユニット１５と専用直列ユニット８の組立状態を例示する斜視図である。この様に、回動スライダ１６を案内溝１０に挿入して嵌合させることにより、計算機接続ユニット１５を回動可能に支持することができる。
また、専用直列ユニット８の底面に設けられた内部コネクタ１４と、計算機接続ユニット１５の裏側に設けられた内部コネクタ２０とは、ユニット間接続ケーブル２２（図２）により接続される。これらの内部コネクタ（１４，２０）は、斜視図省略のユニット間接続ケーブル２２とは、それぞれ挿入着脱式の接続インターフェイスを有している。
【００５３】
図１０は、上記の壁内収納ユニットＡのブランクパネル２８の斜視図である。計算機（双方向伝送端子）を恒久的に使用しない場合には、計算機接続ユニット１５の代りに、同じ位置にこのブランクパネル２８を取り付けて、壁内収納ユニットＡの壁面側にはＴＶ信号用Ｆ形端子１１（端子ＴＶ）のみを残しておく様にできる。
【００５４】
（第２実施例）
図１１は、壁内収納ユニットＣの斜視図である。この壁内収納ユニットＣの特徴は、第１実施例の壁内収納ユニットＡよりも、計算機接続ユニットの横幅が広い所にある。
【００５５】
図１２は、この壁内収納ユニットＣの計算機接続ユニット１５Ｃの斜視図（ａ）、及び、底面図（ｂ）である。この様に、計算機接続ユニットの横幅を拡張すれば、コネクタ等の配列を増加することができる。即ち、符号２９の位置には、他のコネクタや、或いは操作スイッチ等を配設することも可能になる。
この様な構成により、伝送端子の壁内収納ユニットを更に多機能化することも可能である。
【００５６】
（第３実施例）
図１３は、本第３実施例の壁内収納ユニットのその他の接続形態（ケーブルテレビ網）を例示する模式的な配線図である。
このＣＡＴＶシステムは、ＣＡＴＶ局７０に設けられた中央装置７２と、この中央装置７２に接続された幹線ケーブル７５と、幹線ケーブル７５の所定個所に設けられた中継器８０と、この中継器８０から分岐された分岐ケーブル７４と、この分岐ケーブル７４に接続された集合住宅等の構内ネットワーク５０と、更に、各家庭の家庭内ネットワーク４０等から構成されている。
また、ＣＡＴＶ局７０はインタネット・インターフェース７１を介してインタネット網６０に接続されている。
【００５７】
上記の構内ネットワーク５０は、双方向増幅器５６と、これにより増幅された信号を分岐する分岐・分波装置５５と、この分岐・分波装置５５に接続されたパソコン（ＰＣ）等のデータ端末装置５２と、映像受信機であるＴＶ装置５３と、ケーブルモデム５４等から構成されている。ケーブルモデム５４は、高群下り信号をイーサネットベースバンド信号に、或いは、イーサネットベースバンド信号を低群上り信号に変復調する。ＴＶ装置５３は、地上波デジタル放送と衛星放送を弁別して復調する復調器を内蔵しており、分岐・分波装置５５に同軸ケーブルで直接接続されている。
構内ネットワーク５０内では、複数のデータ端末装置５２及びＴＶ装置５３が接続されている。
【００５８】
一方、家庭内ネットワーク４０は、分岐ケーブル７４を伝搬した高群下り信号を分波する分波装置４１と、この分波装置４１に接続されたデータ端末装置４２、ＴＶ受信装置４３等から構成される。データ端末装置４２は、高群下り信号をイーサネットベースバンド信号に、或いは、イーサネットベースバンド信号を低群上り信号に変復調するケーブルモデム４４を備えている。また、ここで、データ端末装置４２は例えば、コンピュ−タ装置である。
【００５９】
このＣＡＴＶシステムで用いられる伝送方式は、高周波信号（ＲＦ信号）が周波数多重化されたブロードバンド伝送方式である。そして、上り高周波信号には例えば１０ＭHz〜５０ＭHz帯（低群上り信号）が、下り高周波信号には７０ＭHz〜７７０ＭHz帯（高群下り信号）が割り当てられて、双方向通信ができる様になっている。
【００６０】
例えば、データ端末装置５２から入力されたデータ信号（計算機信号）は、所定の通信形式（例：１０ＢＡＳＥ−Ｔ）でツイストペア線を介してケーブルモデム５４に送出される。その後、このデータ信号（計算機信号）は、ケーブルモデム５４により変調され、低群上り信号でＣＡＴＶ局７０の中央装置７２に送出される。
【００６１】
一方、中央装置７２は、図略のケーブルモデムにより、上記のケーブルモデム５４により変調された低群上り信号を復調し、このデータ信号（計算機信号）を例えば、インターフェース７１を介してインタネット網６０に出力する。
本第３実施例のＣＡＴＶシステムでは、このようにして、ＴＶ等の映像受信とインタネット等のデータ通信が行われる。
【００６２】
図１４（ａ），（ｂ）、図１５の各回路図は、例えばこの様なＣＡＴＶシステム（図１３）において上記の分波装置４１として使用できるもので、本発明の壁内収納ユニットの下記の変形例１〜３を例示している。即ち、これらの回路図は、上記の分波装置４１（図１３）に対応、或いは一致するものであり、前記の第１、第２実施例と略同様に、例えば図３〜図５、或いは、図１１、図１２の様な外観を有する壁内収納ユニットに搭載することが可能である。
【００６３】
また、これらの回路（図１４（ａ），（ｂ）、図１５）は、それぞれ図２の中間点ｐ以下の部分回路と論理的に可換な回路であり、よって、これらの回路図は、第１実施例の分岐・分波装置５５の中間点ｐ以下の部分回路の回路図として利用することも可能である。
【００６４】
（変形例１）図１４（ａ）の回路
本変形例１の特徴は、図１３の分波装置４１（映像信号／データ信号分離装置）の入力部（或いは、図２の分岐・分波装置５５の中間点ｐ）に、雷サージ吸収素子１３０を付加して、保安器の機能を追加した点にある。分波装置４１が適当な寸法のスイッチボックス等の内部に配置される場合でも、この様なサージ吸収素子は必ずしもスイッチボックス等の内部に配置する必要はない。
【００６５】
また、前記の第１実施例では、図２に例示した様に高群下り線路１１５に分岐器１１０を配置したが、本図１４（ａ）に例示する様に分岐器１１０（図２）の代わりに分配器１１１を配置することもできる。端子ＴＶと端子ＰＣに同等な出力レベルが必要な場合等には、このような構成が望ましく、更には、この分配器１１１は方向性の分配器（等方性結合器）とすることが望ましい。例えばこの様な方向性分配器であれば、鎖線で図示された映像受信機からの低群帯域の雑音の、第２分波器１２０への出力が低減され、より高品質な双方向データ伝送が可能となる。
【００６６】
例えばこの様に、本発明の伝送端子の壁内収納ユニット（分波装置４１）は、ＣＡＴＶ配線網の各需要者宅内において、伝送路に対する入出力部として設けるだけで良く、その構成も簡単である。
即ち、例えば、以上の様な構成により、ＬＡＮやＷＡＮのデータ通信の信頼性を向上させることができる。
【００６７】
（変形例２）図１４（ｂ）の回路
本変形例２の特徴は、分岐器１１０の分岐端子と第２分波器１２０の入力端子との間に高域通過フィルタ１５０を挿入した点にある。分岐器１１０からは高群下り信号が出力されので、この高域通過フィルタはそれらの信号は殆ど影響を与えず通過させる。一方、端子ＴＶから混入した低群帯域の雑音は、分岐器１１０の分岐端子で漏洩した映像受信機からの雑音が遮断されるため、データ通信の伝送品質が良好に向上される。
【００６８】
また、高群下り線路１１５に増幅器１４０を設けた点も本変形例２の特徴である。この増幅器１４０により、片方向伝送端子であるＴＶ端子から入力された雑音が、高群下り線路１１５側から上流（センタ側）へ伝送されるのが防止される。
例えば、以上の様な構成により、上り流合雑音を抑制できる。
【００６９】
（変形例３）図１５の回路
本変形例３は、通信形態切換装置２００を設けたことを特徴としており、第２分波器を２つ（１２０，１２１）用いて図１３の分波装置４１（映像信号／データ信号分離装置）を実現したものである。即ち、図１５（ａ）が、通信形態切換装置２００によって切り換えられる第１状態を、図１５（ｂ）がその第２状態を各々示している。
また、この通信形態切換装置２００の操作スイッチとしては、例えば、前記の第２実施例の操作スイッチ（図１２の符号２９）等を利用することができる。
【００７０】
上記の第１状態（図１５（ａ））においては、分岐器１１０の出力端子は第２分波器１２１を介して片方向伝送端子１０１に接続されている。この第２分波器１２１の低域通過フィルタ側は伝送路が開状態であるので、第２分波器１２１は単に高群通過フィルタの機能だけが作用する。分岐器１１０の分岐端子は第２分波器１２０に接続され、第１分波器１００の低域通過フィルタと第２分波器１２０の低域通過フィルタとは接続された状態である。よって、この図１５（ａ）に示す第１状態では、本装置は図１４（ｂ）に示す回路と略同等となり、映像信号とデータ信号とを分離して、且つ、映像信号受信機からの雑音の伝送路への送出を抑制することが可能となる。
【００７１】
一方、図１５（ｂ）に示す第２状態では、第２分波器１２０の低域通過フィルタ側は開状態であるので、第２分波器１２０は単に高群通過フィルタの機能だけを果たす。よって、端子ｂが片方向伝送端子として機能する。これに対して、分岐器１１０の出力端子は第２分波器１２１に接続されており、第２分波器１２１の低域通過フィルタと第１分波器１００の低域通過フィルタとは接続されているので、端子ａは双方向伝送が可能な双方向伝送端子として機能する。端子ａに映像信号受信機を接続した場合には流合雑音の低減の効果はない。しかし、この構成で使用する宅内配線が既に存在する場合には、本装置を既設用の補償増幅器としても、又、映像信号用の線路とデータ伝送用の線路との２系統を宅内に配設して、流合雑音を抑制するための補償増幅器としも用いることが可能となる。よって、装置の兼用ができ、製造コストが低減される。
【図面の簡単な説明】
【図１】  本発明の実施例に係わるＴＶ共聴システムの接続形態を例示する模式的な配線図。
【図２】  本発明の実施例に係わる分岐・分波装置５５の模式的な回路図。
【図３】  本発明の実施例に係わる伝送端子の壁内収納ユニットＡの斜視図。
【図４】  壁内収納ユニットＡの正面図（ａ）、側面図（ｂ）、及び、底面図（ｃ）。
【図５】  壁内収納ユニットＡの計算機接続ユニット１５の斜視図（ａ）、及び、底面図（ｂ）。
【図６】  壁内収納ユニットＡの計算機接続ユニット１５の側面図。
【図７】  壁内収納ユニットＡの断面図。
【図８】  壁内収納ユニットＡの専用直列ユニット８の斜視図（ａ）、側面図（ｂ）、及び、底面図（ｃ）。
【図９】  壁内収納ユニットＡの計算機接続ユニット１５と専用直列ユニット８の組立状態を例示する斜視図。
【図１０】  壁内収納ユニットＡのブランクパネル２８の斜視図。
【図１１】  壁内収納ユニットＣの斜視図。
【図１２】  壁内収納ユニットＣの計算機接続ユニット１５Ｃの斜視図（ａ）、及び、底面図（ｂ）。
【図１３】  本発明の壁内収納ユニットのその他の接続形態（ケーブルテレビ網）を例示する模式的な配線図。
【図１４】  本発明の壁内収納ユニットのその他の変形例を例示する回路図。
【図１５】  本発明の壁内収納ユニットのその他の変形例を例示する回路図。
【図１６】  従来の伝送端子の壁面配設ユニットの利用状態を例示する斜視図。
【図１７】  従来の伝送端子の壁面配設ユニットの利用状態を例示する斜視図。
【符号の説明】
Ａ，Ｃ  …  壁内収納ユニット
６  …  フラッシプレート
８  …  専用直列ユニット
９  …  ＴＶ端子台
１０  …  案内溝（回動支持部材）
１１  …  ＴＶ信号用Ｆ形端子
１２  …  幹線信号入力用Ｆ形端子
１３  …  幹線信号出力用Ｆ形端子
１４  …  内部コネクタ
１５  …  計算機接続ユニット
１６  …  回動スライダ
１７  …  本体ネジ
１８  …  電源入力用コネクタ
１９  …  計算機接続コネクタ
２０  …  内部コネクタ
２２  …  ユニット間接続ケーブル
２５  …  スイッチボックス
２８  …  ブランクパネル
２９  …  コネクタ（又は、操作スイッチ）
４０  …  家庭内ネットワーク
５０  …  構内ネットワーク
５５  …  分岐・分波装置
６０  …  インターネット網
７０  …  ＣＡＴＶ局
１００  …  第１分波器
１１０  …  分岐器
１１１  …  分配器（等方性結合器）
１２０  …  第２分波器
１３０  …  雷サージ吸収素子
１４０  …  増幅器（ブースター）
１５０  …  高域通過フィルタ
１８０  …  幹線信号分岐器
２００  …  通信形態切換装置
【図１】
0003675715.tif 000002
【図２】
0003675715.tif 000003
【図３】
0003675715.tif 000004
【図４】
0003675715.tif 000005
【図５】
0003675715.tif 000006
【図６】
0003675715.tif 000007
【図７】
0003675715.tif 000008
【図８】
0003675715.tif 000009
【図９】
0003675715.tif 000010
【図１０】
0003675715.tif 000011
【図１１】
0003675715.tif 000012
【図１２】
0003675715.tif 000013
【図１３】
0003675715.tif 000014
【図１４】
0003675715.tif 000015
【図１５】
0003675715.tif 000016
【図１６】
0003675715.tif 000017
【図１７】
0003675715.tif 000018